(57)【特許請求の範囲】
【請求項１】
音声を再生する手段と、
再生中の音声に対応するタイトルを読み取る手段と、
変化する音声信号に含まれる複数の周波数帯域ごとに信号の強さを計る手段と、
計った信号の強さを帯域ごとにレベルバー表示するとともに、前記帯域ごとのレベルバーの先端に、前記タイトル文字を１文字ずつ表示する手段と、
を備えたことを特徴とする音響装置。
【請求項２】
音声を再生するステップと、
再生中の音声に対応するタイトルを読み取るステップと、
変化する音声信号に含まれる複数の周波数帯域ごとに信号の強さを計るステップと、
計った信号の強さを帯域ごとにレベルバー表示するとともに、前記帯域ごとのレベルバーの先端に、前記タイトル文字を１文字ずつ表示するステップと、
を含むことを特徴とする音響装置の制御方法。
【請求項３】
音響装置を制御するプログラムであって、このプログラムは音響装置に、
音声を再生させ、
再生中の音声に対応するタイトルを読み取らせ、
変化する音声信号に含まれる複数の周波数帯域ごとに信号の強さを計らせ、
計った信号の強さを帯域ごとにレベルバー表示するとともに、前記帯域ごとのレベルバーの先端に、前記タイトル文字を１文字ずつ表示させることを特徴とする音響装置の制御プログラム。
【発明の詳細な説明】
【０００１】
【発明の属する技術分野】
本発明は、音響に関する情報を表示する技術の改良に関するもので、より具体的には、音声の周波数特性を表すスペアナ表示と一緒に文字の情報を表示するようにしたものである。
【０００２】
【従来の技術】
カーオーディオシステムなどの音響システムとして、再生している音声信号の周波数帯域ごとの強さを計って表示するものが知られている。周波数帯域ごとに音声信号の強さを計測する技術は周波数分析と呼ばれ、このような帯域ごとの信号の強さの組み合わせは周波数特性と呼ばれる。また、このような周波数特性を計測することや計測する装置は俗にスペアナと呼ばれ、周波数特性の計測結果を表示する処理や表示された計測結果は俗にスペアナ表示と呼ばれる。
【０００３】
このような従来技術では、変化する音声信号をいくつかの周波数帯域ごとに分けて信号の強さを計り、どの帯域の信号がどの程度の強さかを、例えば、縦方向に伸び縮みする何本かの棒グラフを横に並べた形でリアルタイムに表示器に表示する。このような表示では、棒グラフはそれぞれレベルバーと呼ばれ、個々のレベルバーを表示させるには、例えば蛍光表示管などを使った横棒型のセグメントを縦にいくつも並べておき、その帯域の信号の強さに応じた本数だけ下から点灯させる。
【０００４】
このようなスペアナ表示はすなわち周波数特性の表示であるが、聞いている音声の特徴をユーザに知らせる役割を持つだけでなく、耳で聞いている音声の変化に合わせて形を変えることで目からも刺激を与え、ユーザがオーディオを楽しむ快感を大きくさせる効果がある。なお、本出願でいう音声は、人の声だけでなく、音楽などいろいろな種類の音を含む広い概念である。
【０００５】
【発明が解決しようとする課題】
ところで、現在聞いている音声に関連する代表的な情報としては、例えば、ラジオで受信している放送局の名称や、現在再生しているＭＤに付けられたディスクタイトル、ＭＤの曲ごとに付けられたトラックタイトルなどの文字情報も考えられる。
【０００６】
そして、従来では、これらの文字情報は周波数特性とは無関係に、別のユニットの表示部に表示したり、同じ表示部を使うときもスペアナ表示を消すこことで空いた表示領域に表示したりしていた。このため、ユーザは、同じ音声に関連する情報であるにもかかわらず、周波数特性と文字情報とは、表示を切り替えたり目線をあちこちに移して別々に認識しなければならず、面倒であるという問題があった。
【０００７】
また、オーディオを楽しむときのユーザの快感や嗜好性を大きくするために、同じ音声に関連する情報として、周波数特性と文字情報とを何らかの形で関連づけて表示することが望まれていた。
【０００８】
本発明は、上に述べたような従来技術の問題点を解決するために提案されたもので、その目的は、周波数特性と文字の情報を一緒に表示することで、両方を認識しやすくすることである。
【０００９】
【課題を解決するための手段】
上に述べた目的を達成するため、請求項１は、音声を再生する手段と、再生中の音声に対応するタイトルを読み取る手段と、変化する音声信号に含まれる複数の周波数帯域ごとに信号の強さを計る手段と、計った信号の強さを帯域ごとにレベルバー表示するとともに、前記帯域ごとのレベルバーの先端に、前記タイトル文字を１文字ずつ表示する手段と、を備えたことを特徴とする。
請求項３の発明は、請求項１の装置を制御する方法という見方から捉えたもので、音声を再生するステップと、再生中の音声に対応するタイトルを読み取るステップと、変化する音声信号に含まれる複数の周波数帯域ごとに信号の強さを計るステップと、計った信号の強さを帯域ごとにレベルバー表示するとともに、前記帯域ごとのレベルバーの先端に、前記タイトル文字を１文字ずつ表示するステップと、を含むことを特徴とする。
請求項５の発明は、請求項１の装置を制御するプログラムという見方から捉えたもので、音響装置を制御するプログラムであって、このプログラムは音響装置に、音声を再生させ、再生中の音声に対応するタイトルを読み取らせ、変化する音声信号に含まれる複数の周波数帯域ごとに信号の強さを計らせ、計った信号の強さを帯域ごとにレベルバー表示するとともに、前記帯域ごとのレベルバーの先端に、前記タイトル文字を１文字ずつ表示させることを特徴とする。
【００１１】
以上の態様では、ＭＤやＣＤなどの記録媒体に記録されたタイトルや、現在受信しているラジオやテレビの放送局名が、記録媒体やラジオから再生される音声と一緒に表示されるので、周波数特性と一緒にタイトルを認識することが簡単になる。
【００１８】
【発明の実施の形態】
次に、本発明の実施の形態について、図面を参照して説明する。なお、説明で使うそれぞれの図について、それより前で説明した図と同じ部材や同じ種類の部材については同じ符号をつけ、説明は省略する。
【００１９】
〔１．第１実施形態〕
第１実施形態は、現在の動作モードのタイトル、例えば現在受信しているラジオやテレビの放送局名を、レベルバーの最上部のすぐ上に１文字ずつ表示するものである。
【００２０】
〔１−１．構成〕
この第１実施形態は、図１に示すように、ＣＤプレーヤやラジオなどの機能を持つセンターユニット１と、音声信号の帯域ごとの強さを計るスペアナユニット２とを、通信用のバス８で接続したカーオーディオシステムである。
【００２１】
なお、このように実施形態を構成するそれぞれのユニットは、ＣＰＵを含むコンピュータと、その他のオーディオ機構を備えていて、各ユニットが持ついろいろな機能はコンピュータプログラムでこれらのコンピュータやオーディオ機構を制御することで実現される。但し、ＣＰＵの種類やメモリ容量、プログラミング言語の種類やプログラムの格納のしかたなどはいろいろ変更できるので、以下では、各機能に対応する仮想的回路ブロックを使って実施形態を説明することにし、後に述べる第２実施形態以降についても同様とする。
【００２２】
すなわち、まず、図１に示すセンターユニット１は、オーディオを制御する手段１１を備え、このオーディオを制御する手段１１は、ＣＤの再生機構やラジオのチューニング機構（図示せず）を制御したり、これらの機構から得られる音声信号をスピーカから流す部分である。
【００２３】
また、センターユニット１は、表示器１２と、スペアナを表示する手段１３と、を備えている。これら表示器１２とスペアナを表示する手段１３は、スペアナユニット２と協力してスペアナを表示するために使う部分である。つまり、スペアナユニット２は、信号の強さを計る手段２１と、計測結果を送る手段２２を備え、このうち信号の強さを計る手段２１は、センターユニット１からバスＢで渡される音声信号の強さを周波数帯域ごとに計測する部分である。また、計測結果を送る手段２２は、このように計測した計測結果をバスＢでセンターユニット１に送る手段である。
【００２４】
そして、センターユニット１の表示器１２は、蛍光表示管、液晶、エレクトロルミネッサンスなどを使った表示画面を持ち、スペアナを表示する手段１３は、受け取った計測結果を表示器１２に表示する部分である。
【００２５】
また、センターユニット１は、表示する文字を決める手段１５と、文字を表示する手段１６と、表示モードを選ぶ手段１７と、を有する。これらは音声信号に関連する文字の情報を、信号の強さと一緒に表示器１２に表示するのに使う部分である。このうち表示する文字を決める手段１５は、どの音源が使われているかといった動作状態に応じて、信号の強さと一緒にどんな文字を表示するかを決める手段である。
【００２６】
なお、センターユニット１には、表示のもとになる情報１４を予め用意しておき、表示する文字を決める手段１５は、必要に応じてこの表示のもとになる情報１４を参照して表示する文字を決める。例えば、表示のもとになる情報１４として、ラジオで受信する周波数ごとに放送局名を表す文字列を用意しておき、表示する文字を決める手段１５は、どの周波数を受信しているかに応じて、対応する放送局名の文字列を決めて文字を表示する手段１６に渡す。
【００２７】
また、文字を表示する手段１６は、このように決められた文字を、帯域ごとの信号の強さに応じた位置で表示器１２に表示する手段であり、例えば、帯域ごとのレベルバーの最上部のすぐ上に１文字ずつの文字を表示する。また、表示モードを選ぶ手段１７は、スペアナと一緒にこのような文字の表示を行うかどうかといった表示モードを選ぶためのもので、ユーザは操作部１８のキーを押すことで表示モードを選ぶことができる。
【００２８】
〔１−２．作用〕
上に述べたように構成された本実施形態は次のように作用する。ここで、第１実施形態の動作手順を図２のフローチャートに示す。
〔１−２−１．表示モードの選択〕
すなわち、ユーザは、スペアナと一緒に文字を表示させたいときは、操作部１８の予め決められたキーを押すなどして、表示モードを選ぶ手段１７にその旨を指示する。なお、スペアナと一緒に表示させる文字をタイトルと呼び、タイトルと一緒に表示するスペアナをタイトル表示スペアナ、スペアナとタイトルを一緒に表示させるモードをタイトル表示スペアナモードと呼ぶ。
【００２９】
そして、タイトル表示スペアナモードが選ばれていないときは（ステップ２１）、文字を表示する手段１６は表示器１２に文字を表示させることはしないが、タイトル表示スペアナモードが選ばれていてもいなくても、従来技術と同じように、スペアナを表示する手段１３は表示器１２にスペアナを表示する。
【００３０】
〔１−２−２．信号レベルの計測〕
このようにスペアナを表示するには、センターユニット１からバスＢでスペアナユニット２に、再生中の音声信号を送り、スペアナユニット２では、信号の強さを計る手段２１が受け取った音声信号の強さ（レベル）を周波数帯域ごとに計測する。このように信号の強さを計測するには、例えば、音声信号からフィルタ回路で帯域ごとの信号を取り出し、取り出した信号をいろいろなレベルの基準値と大小比較し、信号のほうが上回っていた最も大きな基準値をその帯域の計測結果とすればよい。
【００３１】
〔１−２−３．計測結果の表示〕
そして、計測結果を送る手段２２がこの計測結果をセンターユニット１のスペアナを表示する手段１３にバスＢを通じて順次送り、スペアナを表示する手段１３は、計測結果に含まれる帯域ごとの信号の強さを、強さに応じて高さの変化する柱の図形で表示器１２に表示する。
【００３２】
このように信号の強さに応じて高さの変化する柱の図形をレベルバーと呼び、レベルバーは帯域と同じ数だけ横に並べて表示する。このようなレベルバーを使って、従来技術と同様に計測結果を表示する例を図３に示す。このレベルバーは例えば、横棒の形の蛍光表示管を縦に並べておき、信号の強さに比例した数だけ下から順に点灯させ、信号が強くなればその分上の方まで点灯させ、信号が弱くなればその分上の方は消灯させることで表示することができる。
【００３３】
このような計測と結果の表示を一定の時間間隔、例えば数１０ミリ秒ごとに繰り返すことで、帯域ごとの信号の強さの変化に応じて、対応するレベルバーが伸びたり縮んだりする。そして、ユーザは、これらのレベルバーを見ることで音声信号の周波数特性やその移り変わりを把握することができる。
【００３４】
〔１−２−４．タイトルの表示〕
また、表示モードを選ぶ手段１７でタイトル表示スペアナモードが選択されたときは（ステップ２１）、オーディオを制御する手段１１から表示する文字を決める手段１５に、現在どんな音源が使われているか、例えば受信しているラジオの周波数などを知らせる。すると、表示する文字を決める手段１５は、現在受信している周波数に対応する放送局名すなわちタイトルを、表示のもとになる情報１４のなかから探し、タイトルがある場合は（ステップ２２）タイトルを構成している文字を、帯域ごとのレベルバーの最上部のすぐ上に１文字ずつ表示する（ステップ２３）。この場合の表示例を図４に示す。この例は、「Ｉｎｔｅｒ  ＦＭ」というラジオの放送局名を表示しているもので、このように表示された各文字は、その文字の下のレベルバーの高さが変わるのに応じて上下する。
【００３５】
〔１−２−５．無タイトルの表示〕
一方、現在受信中の放送局についてタイトルがないときは（ステップ２２）、各帯域ごとのレベルバーの最上部のすぐ上に、タイトルがないことを表す予め決められた表示を行う（ステップ２４）。このようにタイトルがないことを表す表示を「無タイトル」と呼ぶ。ここで、無タイトルの表示例を図５に示す。この例では、横棒の形の記号を「−−−−−−−−−−」という具合に１０文字並べることで無タイトルを表しているが、無タイトルは「                    」といった具合にスペース（空白）で表したり、「・・・・・・・・・・」といったように他の文字で表してもよい。
【００３６】
〔１−３．効果〕
以上のように、第１実施形態では、周波数特性と、聞いている内容などの文字の情報が一緒に表示されることで、両方を一目で簡単に認識することができ、音響装置の使い勝手が向上する。また、音声を耳で聞くという刺激に、聞いている内容にかかわる文字の表示が音声の周波数特性に合わせて動くという違った刺激も加わることで、オーディオを楽しむ快感が大きくなる。また、周波数特性を従来のように表示するだけでなく、文字と一緒に表示するという情報の受け取り方の選択肢が増えることで、ユーザの嗜好性が満足される。
【００３７】
また、第１実施形態では、帯域ごとの信号の強さに応じてバーの高さが変わると、バーの上に乗った状態の文字も一緒に上下する。このため、信号の強さと文字の情報が一体になって目に入るので、周波数特性と文字の情報を両方一緒に認識することが容易になる。また、文字の位置という目からの刺激が、音声という耳からの刺激に同期するので、目からの刺激と耳からの刺激の相乗効果が大きくなり、オーディオを楽しむ快感が強くなる。
【００３８】
〔２．第２実施形態〕
第２実施形態は、例えば、ＣＤなら１枚ごとにつけるディスクタイトルを表示し、ＭＤならディスクタイトルと、１曲ごとにつけたトラックタイトルのうち好きなほうに切り替えて表示するものである。
【００３９】
〔２−１．構成〕
まず、この第２実施形態の構成を図６に示す。すなわち、第２実施形態は、図１に指名した第１実施形態の構成に加えて、ＭＤユニット３を備えている。このＭＤユニット３は、ＭＤを再生する手段３１と、タイトルを送る手段３２を備えている。なお、ここでは単にＭＤユニットとしているが、ＭＤのオートチェンジャなどを使うことももちろん可能で、第３実施形態以降についても同様である。
【００４０】
このうちＭＤを再生する手段３１は、ＭＤに記録されたデジタルの音声信号を読み取ってバスＢでセンターユニット１のオーディオを制御する手段１１に送る部分であり、このように送られた音声信号はスピーカから再生されるほか、スペアナユニット２に送られた帯域ごとの信号の強さが計測される。
【００４１】
また、タイトルを送る手段３２は、ＭＤから読み取られたディスク１枚ごとのディスクタイトルと、１曲ごとにつけられるトラックタイトルを、バスＢでセンターユニット１に送る手段である。これに対応して、第２実施形態では、センターユニット１の表示のもとになる情報１４には、読み書き可能なＲＡＭを使った部分があり、このように送られたタイトルの文字情報は、表示のもとになる情報１４の一部として格納される。
【００４２】
〔２−２．作用〕
上に述べたように構成された第２実施形態の動作手順を図７に示す。
〔２−２−１．タイトルの読み取り〕
すなわち、第２実施形態では、ＭＤユニット３にＭＤが挿入されると、ＭＤを再生する手段３１が、ＭＤから、記録された内容を表すＴＯＣ（Ｔａｂｌｅ  Ｏｆ  Ｃｏｎｔｅｎｔｓ）のような管理領域の情報を読み取り、録音内容をセンターユニット１に送って再生を始める。また、同時に、タイトルを送る手段３２が、管理領域に記録されたディスクのタイトルと、曲ごとに記録されたトラックタイトルを予めセンターユニット１に送り、送られたタイトルの情報は表示のもとになる情報１４として格納される。
【００４３】
〔２−２−２．表示モードの選択〕
第２実施形態では、ユーザは、タイトル表示スペアナモードかタイトルを表示しないかを選択する（ステップ４１）だけでなく、タイトル表示スペアナモードの場合は、ディスクタイトルを表示するのかトラックタイトルを表示するかのモード（タイトルモードと呼ぶ）を選択する（ステップ４２）。但し、ＣＤなどで、ディスクタイトルはあってもトラックタイトルがないような場合は、タイトルとしては常にディスクタイトルを表示していればよい。
【００４４】
そして、タイトル表示スペアナモードが選択されているときは（ステップ４１）、表示する文字を決める手段１５が、現在演奏中のＭＤのタイトルモードとして、ディスクタイトルを表示するモードか、トラックタイトルを表示するモードかを判断し（ステップ４２）、ディスクタイトルを表示するディスクタイトルモードのときは、現在演奏中のＭＤにディスクタイトルが存在するかどうかを判断する（ステップ４３）。
【００４５】
〔２−２−３．ディスクタイトルの表示〕
この場合、ディスクタイトルが存在すれば、表示する文字を決める手段１５はこのディスクタイトルを文字を表示する手段１６に送り、文字を表示する手段１６は、受け取ったディスクタイトルを、表示器１２に表示されている帯域ごとのレベルバーの最上部のすぐ上に、１文字ずつ表示する（ステップ４４，図８）。
【００４６】
〔２−２−４．トラックタイトルの表示〕
一方、トラックタイトルを表示するトラックタイトルモードのときは、表示する文字を決める手段１５は、現在演奏中のＭＤにトラックタイトルが存在するかどうかを判断し（ステップ４６）、トラックタイトルが存在すれば、トラックタイトルを文字を表示する手段１６に送る。この場合、文字を表示する手段１６は、受け取ったトラックタイトルを、表示器１２に表示されている帯域ごとのレベルバーの最上部のすぐ上に、１文字ずつ表示する（ステップ４７，図９）。
【００４７】
〔２−２−５．無タイトルの表示〕
現在演奏中のＭＤについて、ディスクタイトルモードのときにディスクタイトルが存在しないときや（ステップ４３）、トラックタイトルモードのときにトラックタイトルが存在しないときは（ステップ４６）、表示する文字を決める手段１５は文字を表示する手段１６にそのことを知らせる。この場合、文字を表示する手段１６は、表示器１２に表示されている帯域ごとのレベルバーの最上部のすぐ上に、タイトルがないことを表す表示である無タイトルを表示する（ステップ４５，４８，図１０）。
【００４８】
〔２−３．効果〕
以上のように、第２実施形態では、ＭＤなどの記録媒体に記録されたタイトルが、その記録媒体から再生される音声と一緒に表示されるので、周波数特性と一緒にタイトルを認識することが簡単になる。
【００４９】
また、第２実施形態では、周波数特性と一緒に表示する文字として、ＭＤなどのディスクタイトル又はトラックタイトルのうち好きなほうを選べるので、ユーザが必要としている情報を、周波数特性と一緒に認識することが簡単になる。
【００５０】
特に、第２実施形態では、表示しようとするディスクタイトルやトラックタイトルが記録媒体に記録されていないときは、その旨が表示されるので、ユーザはタイトルが表示されないのは故障ではないということがすぐにわかり、音響装置を安心して使うことができる。
【００５１】
〔３．第３実施形態〕
第３実施形態は、ラジオで放送局を切り替える場合のように、周波数特性と一緒に表示するタイトルが変わるときに、一定の時間、表示領域中央などにタイトルを表示することでタイトルを見やすくするものである。
【００５２】
つまり、音声信号の周波数特性は、ミュートなどの動作をしたとき以外は常に目まぐるしく変化し、帯域ごとのレベルバーの高さも、この変化に応じて常に目まぐるしく上下することになる。この場合、タイトルをレベルバーの高さに合わせた位置にだけ表示すると見にくいときも考えられるので、第３実施形態はこれを見やすくするものである。
【００５３】
この第３実施形態の構成は、図６に示した第２実施形態と同様であり、また、動作手順についても、図１０に示すように、表示モードの判断（ステップ５１）から演奏中のＭＤにタイトルがあるかどうか判断するところまで（ステップ５３，５６）は、第２実施形態について図７に示したステップ４１〜４３，４６と同様なので、第２実施形態と違う点を中心に説明する。
【００５４】
〔３−１．表示する文字の決定〕
すなわち、第３実施形態では、図１０に示すように、スペアナと一緒にタイトルも表示するモードかどうか（ステップ５１）、表示するタイトルはディスクタイトルかトラックタイトルか（ステップ５２）、表示しようとするタイトルはあるか（ステップ５３，５６）については、第２実施形態と同様に処理される。
【００５５】
しかし、第３実施形態では、これらの判断に続くステップ５４，５５，５７，５８では、表示する文字を決める手段１５が表示する文字の内容を決定するだけで、まだレベルバーの上に文字を実際に表示することはせず、表示は後の処理で行う。
【００５６】
〔３−２．静止表示するかどうかの判断〕
つまり、表示する内容を決定した後で、文字を表示する手段１６は、それまでスペアナと一緒にタイトルを表示していなくて、その後タイトル表示スペアナモードが初めて選択された場合（ステップ５９）、ディスクタイトルを表示するモードで、ディスクが別のディスクに変わった場合（ステップ５１０）、トラックタイトルを表示するモードで、再生しているトラックが変わった場合（ステップ５１１）は、タイトルを一定時間の間、表示器１２の表示領域の中央に静止させて表示する（ステップ５１２）。
【００５７】
〔３−３．静止表示〕
ここで、図１１は、表示領域の中央にディスクタイトルを静止させて表示している例であり、図１２は、同様にトラックタイトルを表示している例である。
【００５８】
すなわち、これらの場合は、これから表示しようとするタイトルはそれまで表示されていなかった文字であるため、最初から文字が動く形で表示せずに、一定時間の間は読みやすいように表示領域の中央に静止させて表示するものである。なお、ここで静止させて表示するというのは、タイトルの文字がレベルバーと一緒に目まぐるしく上下したりしなければよいという意味で、タイトルを中央ではなく上部や下部の一定の位置に表示させたり、目立つように点滅させたり、ゆっくり動かす程度は、静止させて表示することに含まれる。
【００５９】
また、このようにタイトルを静止させて表示する間、タイトルを読みやすくするためには、周波数特性すなわちスペアナの表示は止めておくほうが望ましいが、必ず止めておかなければならないわけではなく、スペアナ表示によってタイトルの読みやすさが妨げられなければよいので、例えば、スペアナ表示は続けるが、静止して表示しているタイトルの周りの表示素子は消しておいたり輝度を落としておけば差し支えない。
【００６０】
〔３−４．タイトルスクロール〕
ところで、表示するタイトルの文字が、図１２のように全部一度に表示できればよいが、例えば図１１では、計１３本あるレベルバーのうち１０本を選んでその上をタイトルの表示に使っている。このような場合、「ＰＯＷＥＲ  ＯＦ  ＤＲＥＡＭＳ」のように長いタイトルは一度に表示できずに途中で切れた状態となる。そこで、文字を表示する手段１６は、タイトルの文字数を判断し（ステップ５１３）、文字数が１０文字以上であればタイトル全体が読めるように横方向のタイトルスクロールを行う（ステップ５１４）。続いて、タイトルスクロール完了にて、最初の１０文字を中央に表示する（ステップ５１６）。
【００６１】
ここで、図１３は、上に述べた例の「ＰＯＷＥＲ  ＯＦ  ＤＲＥＡＭＳ」というタイトルが右から左に流れる方向にスクロール表示された結果、タイトルの後ろ寄りの部分が表示されている例を示す図である。但し、ここで１０文字以上としたのは単なる例であり、９文字でも１２文字でも予め決まった文字数以上ならばスクロールするという意味であり、さらに、タイトルスクロールをすること自体、必ずしも本発明の要件ではない。
【００６２】
〔３−５．効果〕
以上のように、第３実施形態では、目まぐるしく伸び縮みするレベルバーに合わせて文字が上下するだけでなく、文字が変化するときにしばらくの間静止して表示されるので、文字が読みやすくなる。また、第３実施形態では、表示しようとする文字数が多いために全体を一度に表示できなくても、文字がスクロールして表示されるので全体を読み取ることができる。
【００６３】
〔４．第４実施形態〕
第４実施形態は、タイトルを表示する文字自体を変化させることで周波数特性を表示するものである。この第４実施形態の構成と動作手順は、第３実施形態とおおむね同様だが、第４実施形態では、図１４に示すように、タイトルを静止表示する位置は表示領域の中央ではなく下部であり（ステップ６１２）、また、タイトルを帯域ごとのレベルバーの上に表示するのではなく、タイトル文字自体で周波数特性を表示する（ステップ６１５）。
【００６４】
ここで、図１５は、タイトルを表示器１２の表示領域の下部に静止して表示させている例を示すものである。また、タイトル文字自体で周波数特性を表示するには、例えば、図１６に示すように、帯域ごとの信号の強さに応じた数だけ文字を縦に積み重ねることでレベルバーを表示することが考えられる。また、図１７に示すように、帯域後の信号の強さに応じたサイズで文字を表示することが考えられる。これらの場合、タイトルに空白（スペース）が含まれるときは、その位置に「＊」のように適当な文字を挿入しておけば、空白に対応する帯域の信号の強さも表示することができる。
【００６５】
以上のように、第４実施形態では、例えば文字を積み重ねてレベルバーにしたり文字の大きさを変えるなど文字自体で周波数特性を表示するので、周波数特性と文字の両方を一度に認識することが簡単になる。また、周波数特性についても文字自体を使って表示するという表示の仕方が増えるので、ユーザの嗜好性が満足される。
【００６６】
〔５．第５実施形態〕
第５実施形態は、音響装置に接続された外部割り込み機器が、信号の強さと一緒に表示する文字を送ってこないで割り込みだけをかけてきても、割り込みがあったことを表示するものである。
【００６７】
〔５−１．構成〕
この第５実施形態の構成を図１８に示す。この図に示すように、第５実施形態は、図１に示した第１実施形態の構成に加えて、ＡＵＸユニット４を備えている。このＡＵＸユニット４は、何らかの音源を提供する機器で、例えば、携帯電話の着信を受け付けて、音声を車載スピーカから流すことで運転者が電話機を手で持たずにいわゆるハンズフリーで電話を使うためのユニットなどが考えられる。また、ＡＵＸユニット４としては、例えば運転者に合成音声で情報を伝える機能があるカーナビゲーションシステムや、テレビチューナの音声出力回路などでもよい。
【００６８】
また、このＡＵＸユニット４は、バスＢではなくリモート信号を使ってセンターユニット１に接続されているため、タイトルのような文字の情報をセンターユニット１に送ってくることはできないものとする。そして、このＡＵＸユニット４は、割り込みをかける手段４１と、音声信号を送る手段４２と、を備えている。
【００６９】
このうち割り込みをかける手段４１は、ＡＵＸユニット４がセンターユニット１に対して、音声信号を送ろうとするときに外部割り込みを発生させることで、送った音声信号をスピーカから流すようにセンターユニット１を動作させる部分である。また、音声信号を送る手段４２は、ＡＵＸユニット４が持っている何らかの音源からの音声信号を、センターユニット１からスピーカに流させるために、例えばアナログ信号ケーブルでセンターユニット１に送るための部分である。
【００７０】
一方、センターユニット１では、オーディオを制御する手段１１が、ＡＵＸユニット４の音声信号を送る手段４２から送られてくる音声信号を受け取るように構成されているほか、割り込みを受け付ける手段１９が設けられている。この割り込みを受け付ける手段１９は、ＡＵＸユニット４の割り込みをかける手段４１が発生させる外部割り込みの信号を受け付けたときに、割り込みがあったことをオーディオを制御する手段１１に知らせることで、ＡＵＸユニット４からの音声信号を受け取ってスピーカに流すといった処理をさせる部分である。
【００７１】
同時に、この割り込みを受け付ける手段１９は、割り込みがあったときに、そのことを、表示する文字を決める手段１５と文字を表示する手段１６とに知らせる役割を持つ。さらに、第５実施形態では、表示する文字を決める手段１５は、割り込みを受け付ける手段１９から割り込みがあったことを知らされたときは、割り込みがあったことを表す予め決められた文字を、信号の強さと一緒に表示する文字として決定するように構成されている。
【００７２】
〔５−２．作用〕
〔５−２−１．割り込みの発生〕
上に述べたように構成された第５実施形態では、例えばユーザがＡＵＸユニット４の持っている音源を聞くための操作をＡＵＸユニット４に対してしたときや、ＡＵＸユニット４に電話が着信したときなどに、ＡＵＸユニット４の割り込みをかける手段４１がセンターユニット１に割り込みをかけると共に、音声信号を送る手段４２がセンターユニット１に音声信号を送り始める。
【００７３】
一方、センターユニット１で行う処理の手順を図１９に示す。この手順は、割り込みがあったときにそのことを表示器１２に表示するモードでどのような処理が行われるかを示すもので、このようなモードを割り込みモード表示スペアナと呼ぶ。
【００７４】
この手順の前提として、まず、割り込みを受け付ける手段１９がＡＵＸユニット４からの割り込みを受け付けたときは、センターユニット１は、外部割り込み機器からの音声信号を処理するモードになっている。このように外部割り込みを受けた状態でのセンターユニット１の動作状態を外部割り込みモードと呼ぶ。この外部割り込みモードでは、ＡＵＸユニット４が動作中で、ＡＵＸユニット４の音声信号を送る手段４２はセンターユニット１に音声信号を送ってきている。これに対応して、オーディオを制御する手段１１は、ＡＵＸユニット４の音声信号を送る手段４２から音声信号を受け取って処理する状態になっている。
【００７５】
このとき、ＡＵＸユニット４は、信号の強さと一緒に表示するタイトルなどの文字を送信してこないので、タイトルがないことを表す「−−−−−−−−−−」（横棒「−」１０文字）のような無タイトル表示を行うと、図５に示したのと同じ表示になり（図２０）、ユーザはセンターユニット１がどのように動作しているかを知ることができず、故障ではないかと心配するといった問題が生じる。
【００７６】
〔５−２−２．外部割り込みモードのときの表示〕
しかし、第５実施形態では、図１９に示す手順にしたがって、外部割り込みモードで動作中であることを表示することができる。すなわち、この手順では、タイトル表示スペアナモードが選択されているとき（ステップ８１）、表示する文字を決める手段１５は、まず、センターユニット１が、外部割り込みを受けた状態で動作しているかどうかを判断する（ステップ８２）。
【００７７】
表示する文字を決める手段１５は、ステップ８２の判断で、外部割り込みモードであることがわかると、外部割り込みモードであることを表す予め決められた例えば「ＡＵＸ」といった文字を、信号の強さと一緒に表示する文字として決定し、文字を表示する手段１６に渡す。そして、文字を表示する手段１６は、この「ＡＵＸ」といった文字を帯域ごとのいくつかのレベルバーに１文字ずつ割当、レベルのバーの最上部のすぐ上に、図２０に示すように表示する（ステップ８３）。
【００７８】
つまり、ＡＵＸユニット４がタイトルなどの文字を送ってこなくても、タイトルがないことを表す「−−−−−−−−−−」などの表示の代わりに、割り込みがあったことを示す「ＡＵＸ」といった文字が表示器１２に表示されることになる。
【００７９】
〔５−２−３．外部割り込みモードでないときの表示〕
一方、ステップ８２の判断で、外部割り込みモードでないことがわかると、表示する文字を決める手段１５は、センターユニット１について、例えばラジオを受信する通常のラジオチューナモードで、現在受信中の周波数に放送局のタイトルがあるかどうかを判断する。この結果、タイトルがあれば、表示する文字を決める手段１５はそのタイトルを文字を表示する手段１６に渡し、文字を表示する手段１６は各帯域のレベルバーの最上部のすぐ上に、そのタイトルの１文字ずつを表示する（ステップ８５，図４）。
【００８０】
また、タイトルがないときは、表示する文字を決める手段１５は、タイトルがないことを表す「−−−−−−−−−−」といった無タイトル表示の文字列を文字を表示する手段１６に渡し、文字を表示する手段１６は各帯域のレベルバーの最上部のすぐ上に、このような無タイトル表示の１文字ずつを表示する（ステップ８６，図２０）。
【００８１】
〔５−３．効果〕
以上のように、第５実施形態では、外部割り込み機器が、信号の強さと一緒に表示する文字を送信してこないで外部割り込みをかけてきても、割り込みを受けた音響装置の側では予め決められた文字で、外部割り込みを受けたことが表示される。このため、ユーザは、故障ではなく外部割り込みであることが簡単にわかり、安心して音響装置を使うことができる。
【００８２】
〔６．他の実施の形態〕
なお、本発明は上に述べた実施形態に限定されるものではなく、次に例示するような他の実施の形態も含むものである。例えば、上に述べた各実施形態ではＣＤプレーヤやラジオチューナーの機能を持つセンターユニット１に、スペアナユニット２、ＭＤユニット３、ＡＵＸユニット４を接続した例を示したが、これらの機能は１つのユニット内にまとめてもよく、また、各ユニットはバスではなくＲＳ−２３２Ｃや光ファイバーなど他の種類の回線で接続してもよい。
【００８３】
また、上に述べた各実施形態では、レベルバーの伸び縮みする側の先に文字を表示したが、文字はレベルバーの途中に表示することもでき、このようにすることで文字が動き回る範囲が狭くなり、文字が読みやすくなる。
【００８４】
また、上に述べた各実施形態では、表示器に表示するレベルバーとして、上向きにだけ伸び縮みするものを示したが、表示領域の上下方向の中央部から、上と下の両方に向かって幅が太くなったり細くなったりする形で変化するレベルバーを使うこともできる。この場合、文字の情報はレベルバーの上側に表示しても下側に表示してもよく、下側に表示するときは各バーの「最上部」とあるのは「最下部」と読み替えるものとする。また、バーの上側とした側のうちどちらに文字を表示するかをユーザが選べるようにしてもよい。
【００８５】
また、ディスクタイトルとトラックタイトルは一方だけを表示するのでもよい。また、本発明の機能を実現するコンピュータプログラムを記録した記録媒体も本発明の一態様である。
【００８６】
【発明の効果】
以上のように、本発明によれば、周波数特性と文字の情報が一緒に表示されることで両方が認識しやすくなり、音響装置の使い勝手が向上し、ユーザの嗜好性が満足される。
【図面の簡単な説明】
【図１】本発明の第１実施形態の構成を示す機能ブロック図。
【図２】本発明の第１実施形態の動作手順を示すフローチャート。
【図３】本発明の第１実施形態における表示例を示す図（文字を表示しない場合）。
【図４】本発明の第１実施形態における表示例を示す図（文字を表示する場合）。
【図５】本発明の第１実施形態における表示例を示す図（無タイトル表示）。
【図６】本発明の第２実施形態の構成を示す機能ブロック図。
【図７】本発明の第２実施形態の動作手順を示すフローチャート。
【図８】本発明の第２実施形態における表示例を示す図（ディスクタイトルを表示する場合）。
【図９】本発明の第２実施形態における表示例を示す図（トラックタイトルを表示する場合）。
【図１０】本発明の第３実施形態の動作手順を示すフローチャート。
【図１１】本発明の第３実施形態における表示例を示す図（ディスクタイトルを静止させて表示する場合）。
【図１２】本発明の第３実施形態における表示例を示す図（トラックタイトルを静止させて表示する場合）。
【図１３】本発明の第３実施形態における表示例を示す図（ディスクタイトルをスクロールさせて表示する場合）。
【図１４】本発明の第４実施形態の動作手順を示すフローチャート。
【図１５】本発明の第４実施形態における表示例を示す図（ディスクタイトルを表示領域の下部に表示する場合）。
【図１６】本発明の第４実施形態における表示例を示す図（ディスクタイトルの文字を縦に積み重ねてレベルバーを表示する場合）。
【図１７】本発明の第４実施形態における表示例を示す図（ディスクタイトルの文字の大きさを変えて周波数特性を表示する場合）。
【図１８】本発明の第５実施形態の構成を示す機能ブロック図。
【図１９】本発明の第５実施形態の動作手順を示すフローチャート。
【図２０】本発明の第５実施形態における表示例を示す図（無タイトル表示）。
【図２１】本発明の第５実施形態における表示例を示す図（外部割り込みを表す文字を表示する場合）。
【符号の説明】
１…センターユニット
１１…オーディオを制御する手段
１２…表示器
１３…スペアナを表示する手段
１４…表示のもとになる情報
１５…表示する文字を決める手段
１６…文字を表示する手段
１７…表示モードを選ぶ手段
１８…操作部
２…スペアナユニット
２１…信号の強さを計る手段
２２…計測結果を送る手段
３…ＭＤユニット
３１…ＭＤを再生する手段
３２…タイトルを送る手段
４…ＡＵＸユニット
４１…割り込みをかける手段
４２…音声信号を送る手段
【図１】
0004201871.tif 000002
【図２】
0004201871.tif 000003
【図３】
0004201871.tif 000004
【図４】
0004201871.tif 000005
【図５】
0004201871.tif 000006
【図６】
0004201871.tif 000007
【図７】
0004201871.tif 000008
【図８】
0004201871.tif 000009
【図９】
0004201871.tif 000010
【図１０】
0004201871.tif 000011
【図１１】
0004201871.tif 000012
【図１２】
0004201871.tif 000013
【図１３】
0004201871.tif 000014
【図１４】
0004201871.tif 000015
【図１５】
0004201871.tif 000016
【図１６】
0004201871.tif 000017
【図１７】
0004201871.tif 000018
【図１８】
0004201871.tif 000019
【図１９】
0004201871.tif 000020
【図２０】
0004201871.tif 000021
【図２１】
0004201871.tif 000022